(57)【特許請求の範囲】
【請求項１】
アウター固定体に円周状のインナー摺動面で囲まれたインナー回転室を設け、このインナー回転室内にコルゲートチューブを収容して保持するインナー回転体を収容し、このインナー回転体の外周摺動面が前記アウター固定体の前記インナー摺動面を摺動することによって前記コルゲートチューブを回転させるようにしたコルゲートチューブ用回転保持具において、
前記アウター固定体は、内周に円弧面を有する複数の固定分割部材からなり、この複数の固定分割部材の互いの突き合わせ面を突き合わせて組み付けられ、この組み付けられた前記複数の固定分割部材の各円弧面により前記インナー摺動面が形成され、前記互いの突き合わせ面が突き合わされる一方の固定分割部材に、その円弧面の端部に該円弧面の仮想円周軌跡に沿った方向でストレートに所定長さの外側退出面が延設され、他方の固定分割部材は、その円弧面の両方の先端面の間が前記外側退出面の先端面に一致する寸法に設定されていることを特徴とするコルゲートチューブ用回転保持具。
【請求項２】
請求項１記載のコルゲートチューブ用回転保持具であって、
前記複数の固定分割部材は、ベース部材とカバーの２部材であることを特徴とするコルゲートチューブ用回転保持具。
【請求項３】
請求項２記載のコルゲートチューブ用回転保持具であって、
前記ベース部材に外側退出面が形成され、前記ベース部材と前記カバーとの突き合わせ面は前記インナー摺動面の中央より上方の位置に配置されていることを特徴とするコルゲートチューブ用回転保持具。
【発明の詳細な説明】
【０００１】
【発明の属する技術分野】
本発明は、例えば、ワイヤハーネスを収容したコルゲートチューブを回転自在に保持するコルゲートチューブ用回転保持具に関する。
【０００２】
【従来の技術】
この種の従来のコルゲートチューブ用回転保持具として、図９〜図１３に示すものがある。このコルゲートチューブ用回転保持具１は、図９〜図１０に示すように、アウター固定体２と、このアウター固定体２内に回転自在に収容されたインナー回転体３とからなり、このインナー回転体３の内部にワイヤハーネスＷが収容されたコルゲートチューブ４が保持されている。
【０００３】
図９〜図１１に示すように、アウター固定体２は、ベース部材５と、このベース部材５にロックされるカバー６とからなり、互いの突き合わせ面５ｂ，６ｂを突き合わせて組み付けられるようになっている。この組み付けられたベース部材５とカバー６の内部にインナー摺動面７で囲まれたインナー回転室８が形成され、インナー摺動面７はベース部材５とカバー６の各内周に形成された円弧面５ａ，６ａにより形成される。
【０００４】
また、図９，図１２に示すように、インナー回転体３は、外周に円弧面９ａを有する半円筒状の２つの回転分割部材９，９からなり、この各回転分割部材９の互いの突き合わせ面９ｂを突き合わせて組み付けられるようになっている。この組み付けられた２つの回転分割部材９，９の各円弧面９ａにより円周状の外周摺動面１０が形成されており、インナー回転体３はその外周摺動面１０がアウター固定体２のインナー摺動面７を摺動することによってアウター固定体２の内部で回転されるようになっている。このようにインナー回転体３が回転されることによってコルゲートチューブ４がコルゲートチューブ用回転保持具１に回転自在に保持される。
【０００５】
【特許文献１】
特開平５−１６８１２２号公報
【０００６】
【発明が解決しようとする課題】
しかしながら、前記従来のコルゲートチューブ用回転保持具１のアウター固定体２は、内部にインナー回転体３を収容するために、ベース部材５とカバー６とを組み付けることによって構成されている。従って、ベース部材５とカバー６間のロック手段１１のガタやベース部材５やカバー６に作用する外力等により、図１３に示すように、ベース部材５とカバー６間の突き合わせ面５ｂ，６ｂが位置ずれした状態となるおそれがある。このように突き合わせ面５ｂ，６ｂに位置ずれが発生すると、ベース部材５とカバー６の円弧面５ａ，６ａの連結ポイントが一致せずにインナー摺動面７の直径が位置ずれ量ｄ２の分だけ実質的に減少するため、インナー回転体３のスムーズな回転が阻害されるという問題がある。
【０００７】
また、前記ワイヤハーネスＷが収容されたコルゲートチューブ４がコルゲートチューブ用回転保持具１のインナー回転体３を支点に大きく振られる場合等に、コルゲートチューブ４を導出させたアウター固定体２の開口部において該コルゲートチューブ４を含むワイヤハーネスＷが屈折し易く、場合によってはコルゲートチューブ４や内部のワイヤハーネスＷを構成する複数の電線が傷付き易いという問題がある。
【０００８】
そこで、本発明は、前記した課題を解決すべくなされたものであり、複数の固定分割部材間の各突き合わせ面に位置ずれが発生してもインナー回転体をスムーズに回転させることができ、また、コルゲートチューブや内部の電線の傷みを確実に防止することができるコルゲートチューブ用回転保持具を提供することを目的とする。
【０００９】
【課題を解決するための手段】
請求項１の発明は、アウター固定体に円周状のインナー摺動面で囲まれたインナー回転室を設け、このインナー回転室内にコルゲートチューブを収容して保持するインナー回転体を収容し、このインナー回転体の外周摺動面が前記アウター固定体の前記インナー摺動面を摺動することによって前記コルゲートチューブを回転させるようにしたコルゲートチューブ用回転保持具において、前記アウター固定体は、内周に円弧面を有する複数の固定分割部材からなり、この複数の固定分割部材の互いの突き合わせ面を突き合わせて組み付けられ、この組み付けられた前記複数の固定分割部材の各円弧面により前記インナー摺動面が形成され、前記互いの突き合わせ面が突き合わされる一方の固定分割部材に、その円弧面の端部に該円弧面の仮想円周軌跡に沿った方向でストレートに所定長さの外側退出面が延設され、他方の固定分割部材は、その円弧面の両方の先端面の間が前記外側退出面の先端面に一致する寸法に設定されていることを特徴とする。
【００１０】
このコルゲートチューブ用回転保持具では、複数の固定分割部材間のロック手段のガタやアウター固定体に作用する外力等により複数の固定分割部材間の突き合わせ面に位置ずれが発生しても、他方の固定分割部材の円弧面の端部が一方の固定分割部材の円弧面の径より大きな寸法に形成されていることから固定分割部材の突き合わせ面の部分にできる段差がインナー摺動面の円周軌跡上より内側に入り込まない。これにより、複数の固定分割部材間の各突き合わせ面に位置ずれが発生してもインナー回転体がスムーズに回転する。
【００１１】
請求項２の発明は、請求項１記載のコルゲートチューブ用回転保持具であって、前記複数の固定分割部材は、ベース部材とカバーの２部材であることを特徴とする。
【００１２】
このコルゲートチューブ用回転保持具では、請求項１の発明の作用に加え、ベース部材にカバーを組み付ければアウター固定体が簡単に組み立てられる。
【００１３】
請求項３の発明は、請求項２記載のコルゲートチューブ用回転保持具であって、前記ベース部材に外側退出面が形成され、前記ベース部材と前記カバーとの突き合わせ面は前記インナー摺動面の中央より上方の位置に配置されていることを特徴とする。
【００１４】
このコルゲートチューブ用回転保持具では、請求項２の発明の作用に加え、アウター固定体の横幅寸法を大きくすることなくインナー回転体がスムーズに回転する。
【００１７】
【発明の実施の形態】
以下、本発明の一実施形態を図面に基づいて説明する。
【００１８】
図１〜図８は本発明の一実施形態を示し、図１はコルゲートチューブ用回転保持具の分解斜視図、図２は同回転保持具の要部の断面図、図３は同回転保持具に用いられるアウター固定体の分解断面図、図４は同回転保持具に用いられるインナー回転体の分解正面図、図５は同インナー回転体の分解側面図、図６は同インナー回転体を構成する回転分割部材の平面図、図７は同アウター固定体の概略断面図、図８は同アウター固定体を構成するベース部材とカバー間の各突き合わせ面が位置ずれした状態を示す拡大概略断面図である。
【００１９】
図１〜図６に示すように、コルゲートチューブ用回転保持具２０は、アウター固定体２１と、このアウター固定体２１内に回転自在に収容されたインナー回転体２２とからなり、このインナー回転体２２の内部にワイヤハーネスＷが収容されたゴム製等のコルゲートチューブ２３が保持されるようになっている。
【００２０】
アウター固定体２１は、固定分割部材としての合成樹脂製のベース部材２４と固定分割部材としての合成樹脂製のカバー２５とからなり、これらベース部材２４とカバー２５が組み付けられることによりアウター固定体２１が構成される。そして、ベース部材２４は後述するインナー回転室２７の下半分を形成する下側収容ケース部２８を有し、この下側収容ケース部２８の上端面が突き合わせ面２８ａとされていると共に、下側収容ケース部２８の内面に円弧面２８ｂが形成されている。また、カバー２５は後述するインナー回転室２７の上半分を形成する上側収容ケース部３０を有し、この上側収容ケース部３０の内側下端面が突き合わせ面３０ａとされていると共に、上側収容ケース部３０の内面に円弧面３０ｂが形成されている。
【００２１】
そして、ベース部材２４とカバー２５とは、互いの突き合わせ面２８ａ，３０ａが突き合わされた状態で組み付けられるようになっており、下側収容ケース部２８と上側収容ケース部３０との内部に円周状のインナー摺動面２６で囲まれたインナー回転室２７が形成される。また、カバー２５には、コルゲートチューブ２３が延在する方向に突出する２個のガイド３２，３２が形成されている。
【００２２】
また、ベース部材２４の円弧面２８ｂの上端部には、円弧面２８ｂの仮想円周軌跡ｃ（図８に示す円弧面２８ｂと同一径の円周面を仮定した場合の円周軌跡）より外側に位置する外側退出面３２が延設されている。この実施形態では、図２及び図７に示すように、外側退出面３２は、インナー摺動面２６の中央よりＥ寸法だけ上方に向かってストレートに延設されており、最上端面（先端面）が最も仮想円周軌跡ｃより離間した位置となっている。また、カバー２５の円弧面３０ｂの両方の最下端面（先端面）３０ａは、外側退出面３２の先端面２８ａに一致する寸法に設定されている。即ち、外側退出面３２の両側の先端面間の寸法は円弧面２８ｂの直径より若干大きく設定され、これに従ってカバー２５の円弧面３０ｂの両方の先端面間の寸法もベース本体２４の円弧面２８ｂの直径より若干大きく設定されている。さらに、図２，図３に示すように、インナー摺動面２６の箇所におけるベース部材２４とカバー２５間の各突き合わせ面２８ａ，３０ａはインナー摺動面２６の中央よりＥ寸法だけ上方の位置に位置している。
【００２３】
さらに、図１，図３に示すように、下側収容ケース部２８の両側面の適所にはロック手段としての枠状の被ロック部２９が、上側ケース収容部３０の両側面の適所にはロック手段としての鉤状のロックアーム部３１が、それぞれ設けられており、ロックアーム部３１が被ロック部２９にロックされることによりベース部材２４とカバー２５とが組み付けられて固定されるようになっている。
【００２４】
図１及び図４〜図６に示すように、インナー回転体２２は、外周に円弧面３３ａを有する一対の回転分割部材３３，３３からなり、この一対の回転分割部材３３，３３の互いの突き合わせ面３３ｂを突き合わせて組み付けられるようになっている。そして、この組み付けられた一対の回転分割部材３３，３３の各円弧面３３ａにより略円周状の外周摺動面３５が形成されており、この外周摺動面３５は３箇所に設けられている。また、各回転部材部材３３の円弧面３３ａの端部は、図４に示すように、円弧面３３ａの回転軌跡ｂより内側に退出するカット面３６とされており、このカット面３６は突き合わせ面３３ｂの直交方向にカットされたフラット面として形成されている。従って、外周摺動面３５は各回転分割部材３３の境界部分以外が円周状で、各回転分割部材３３の境界部分がフラット状に形成されている。
【００２５】
また、各回転分割部材３３には、突き合わせ面３３ｂに開口するＵ字溝３７ａが形成されており、各回転分割部材３３の組み付け状態で該各回転分割部材３３のＵ字溝３７ａによりハーネス収容口３７が形成されるようになっている。そして、このハーネス収容口３７より内側のチューブ収容室３７ｂ内にワイヤハーネスＷが収容されたコルゲートチューブ２３が挾持状態で保持されるようになっている。
【００２６】
さらに、図６に示すように、各回転分割部材３３の左右の突き合わせ面３３ｂには、一対の位置決め突起３９，３９が互い違いに一体突出形成されると共に、各位置決め突起３９が挿入される各位置決め溝４０が互い違いにそれぞれ形成されている。また、各回転分割部材３３の左右の外壁の一方側にはロック手段としての枠状のロックアーム部４１が突設され、その他方側にはロックアーム部４１が係止されるロック手段としての鉤状の被ロック部４２が設けられている。
【００２７】
そして、一対の回転分割部材３３，３３の組み付け時には、互いの位置決め突起３９を位置決め溝４０に挿入することにより互いの突き合わせ面３３ｂ同士を容易に、且つ、適正に突き合わせて組み付けることができるようになっている。また、一対の回転分割部材３３，３３の各突き合わせ面３３ｂを突き合わせた状態で、各回転分割部材３３の互いのロックアーム部４１が被ロック部４２にロックされることにより組み付け状態が固定されるようになっている。
【００２８】
尚、図１に示すように、インナー回転体２２の各回転分割部材３３の一端側の円弧状の鍔部３３ｃは、インナー回転室２７の一端側に突設した円弧状で一対の鍔部２７ｃ，２７ｃ間に収容されるようになっている。また、各回転分割部材３３の中央より突出した突起３３ｄがインナー摺動面２６の上下部に突出した突起部２６ｄに当たることにより１８０度の範囲でインナー回転体２２が回転するようになっている。さらに、断面楕円形（平型）のコルゲートチューブ２３の各凹部２３ａが各回転分割部材３３のチューブ収容室３７ｂに突出した複数の突起部３７ｃにそれぞれ係止されて一端側の突起部３７ｃより外側に露出するようになっている。
【００２９】
上記構成において、ワイヤハーネスＷ等よりコルゲートチューブ２３に回転力が作用すると、この回転力を受けたインナー回転体２２はその外周摺動面３５がアウター固定体２１のインナー摺動面２６を摺動することによってアウター固定体２１の内部で回転される。このようにインナー回転体２２が回転されることによってコルゲートチューブ２３が回転自在に保持される。
【００３０】
ところで、ベース部材２４とカバー２５間のロックアーム部３１と被ロック部２９のガタにより、或いは、ベース部材２４やカバー２５に作用する外力等により、図８に示すように、ベース部材２４とカバー２５間の突き合わせ面２８ａ，３０ａに位置ずれが発生しても、カバー２５の円弧面３０ｂがベース本体２４の円弧面２８ｂの直径より若干大きな寸法に形成されていることからベース部材２４の突き合わせ面２８ａの部分にできる段差がインナー摺動面２６の仮想円周軌跡ｃ上より内側に入り込まない。従って、ベース部材２４とカバー２５間の各突き合わせ面２８ａ，３０ａに位置ずれが発生してもインナー回転体２２を常によりスムーズに回転させることができる
また、前記実施形態では、アウター固定体２１を構成する固定分割部材がベース部材２４とカバー２５の２部材であるので、ベース部材２４にカバー２５を組み付けるだけの簡単な組付作業によりアウター固定体２１が簡単に組み立てられる。
【００３１】
また、前記実施形態では、ベース部材２４に外側退出面３２が一体突出形成され、この外側退出面３２は、インナー摺動面２６の中央より上方に向かってストレートに延び、ベース部材２４とカバー２５との各突き合わせ面２８ａ，３０ａはインナー摺動面２６の中央より上方の位置に配置されているので、アウター固定体２１の横幅寸法を大きくすることなくインナー回転体２２を常によりスムーズに回転させることができる。
【００３２】
また、前記実施形態では、カバー２５には、コルゲートチューブ２３が延在する方向に突出する２個のガイド４３，４３が上側収容ケース部３０から延びるように一体形成されている。よって、コルゲートチューブ２３は各ガイド４３と当接することにより曲率が一定値以内に保持される。
【００３３】
即ち、図１に示すように、カバー２５のコルゲートチューブ２３の導出側には該コルゲートチューブ２３の曲率を一定値以内に保持する左右一対のガイド４３，４３が形成されており、この各ガイド４３の内側にコルゲートチューブ４３を沿わせる略円弧状の曲面壁４３ａが一体形成されている。この各内側の曲面壁４３ａは各外側の壁とで断面略Ｖ字状になっていて、ベース部材２４のコルゲートチューブ２３の導出側に立設された左右一対のガイド支持部２４ａ，２４ａに嵌め込まれてベース部材２４の下側まで延びている。また、左右一対の曲面壁４３ａ，４３ａの上端間にはコルゲートチューブ２３を沿わせる略円弧状の曲面壁４３ｂが一体形成されている。これらにより、コルゲートチューブ２３の導出側において該コルゲートチューブ２３が左右方向及び上方に大きく振られても各曲面壁４３ａ，４３ｂによりコルゲートチューブ２３の折れ曲がりを防止することができ、コルゲートチューブ２３や内部のワイヤハーネスＷを構成する複数の電線の傷付きや経時的な繰り返しによる破損や断線等を確実に防止することができる。
【００３４】
さらに、前記実施形態では、コルゲートチューブ２３からの外力の作用や一対の回転分割部材３３，３３間のロックアーム部４１及び被ロック部４２のガタ等の理由により、各回転分割部材３３間の突き合わせ面３３ｂに位置ずれが発生する場合がある。しかし、各回転分割部材３３の円弧面３３ａの端部にカット面３６が形成されていることから各回転分割部材３３の突き合わせ面３３ｂの部分にできる段差部が外周摺動面３５の回転軌跡ｂ上より外に突出せず、また、各回転分割部材３３の円弧面３３ａにより形成される外周摺動面３５の直径の実質的な増加分が微小に抑えられる。従って、各回転分割部材３３間の突き合わせ面３３ｂに位置ずれが発生してもインナー回転体２２を常により一段とスムーズに回転させることができる。
【００３５】
尚、前記実施形態では、ベース部材２４とカバー２５との各突き合わせ面２８ａ，３０ａをインナー摺動面２６の中央より上方の位置に配置したが、インナー摺動面２６の中央より下方の位置に配置しても良い。また、アウター固定体２１は２つの部材で構成したが、３つ以上の固定分割部材で構成しても良い。また、コルゲートチューブ２３は断面楕円形の平型のものに限られず、断面円形の筒型のものでも良い。さらに、凹凸形状のコルゲートチューブに限らず、凹凸のないチューブに前記実施形態を適用できることは勿論である。
【００３６】
【発明の効果】
以上説明したように、請求項１の発明によれば、アウター固定体を構成する複数の固定分割部材間のロック手段のガタや該アウター固定体に作用する外力等により複数の固定分割部材間の各突き合わせ面に位置ずれが発生しても、他方の固定分割部材の円弧面の端部が一方の固定分割部材の円弧面の直径より大きな寸法に形成されていることから複数の固定分割部材の突き合わせ面の部分にできる段差がインナー摺動面の円周軌跡上より内側に入り込むことがない。従って、複数の固定分割部材間の突き合わせ面に位置ずれが発生してもインナー回転体をスムーズに回転させることができる。
【００３７】
請求項２の発明によれば、複数の固定分割部材をベース部材とカバーの２部材で構成したので、ベース部材にカバーを組み付ける簡単な組付作業によりアウター固定体を簡単に組み立てることができる。
【００３８】
請求項３の発明によれば、ベース部材とカバーとの突き合わせ面をインナー摺動面の中央より上方の位置に配置したので、アウター固定体の横幅寸法を大きくすることなくインナー回転体をスムーズに回転させることができる。
【図面の簡単な説明】
【図１】本発明の一実施形態を示し、コルゲートチューブ用回転保持具の分解斜視図である。
【図２】本発明の一実施形態を示し、コルゲートチューブ用回転保持具の要部の断面図である。
【図３】本発明の一実施形態を示し、アウター固定体の分解断面図である。
【図４】本発明の一実施形態を示し、インナー回転体の分解正面図である。
【図５】本発明の一実施形態を示し、インナー回転体の分解側面図である。
【図６】本発明の一実施形態を示し、回転分割部材の平面図である。
【図７】本発明の一実施形態を示し、アウター固定体の概略断面図である。
【図８】本発明の一実施形態を示し、ベース部材とカバー間の各突き合わせ面が位置ずれした状態を示す拡大概略断面図である。
【図９】従来例を示し、コルゲートチューブ用回転保持具の分解斜視図である。
【図１０】従来例を示し、コルゲートチューブ用回転保持具の断面図である。
【図１１】従来例を示し、アウター固定体の分解断面図である。
【図１２】従来例を示し、インナー回転体の概略正面図である。
【図１３】従来例を示し、ベース部材とカバー間の各突き合わせ面が位置ずれした状態を示す部分概略正面図である。
【符号の説明】
２０  コルゲートチューブ用回転保持具
２１  アウター固定体
２２  インナー回転体
２３  コルゲートチューブ
２４  ベース部材（固定分割部材）
２５  カバー（固定分割部材）
２６  インナー摺動面
２７  インナー回転室
２８ａ，３０ａ  突き合わせ面
２８ｂ，３０ｂ  円弧面
３２  外側退出面
３５  外周摺動面
４３  ガイド
４３ａ，４３ｂ  曲面壁
ｃ  仮想円周軌跡
【図１】
0004223785.tif 000002
【図２】
0004223785.tif 000003
【図３】
0004223785.tif 000004
【図４】
0004223785.tif 000005
【図５】
0004223785.tif 000006
【図６】
0004223785.tif 000007
【図７】
0004223785.tif 000008
【図８】
0004223785.tif 000009
【図９】
0004223785.tif 000010
【図１０】
0004223785.tif 000011
【図１１】
0004223785.tif 000012
【図１２】
0004223785.tif 000013
【図１３】
0004223785.tif 000014